(57)【特許請求の範囲】
【請求項１】
遊技機の遊技盤の縁部を被固定部に対し着脱可能に固定する遊技盤のクランプ装置であって、
該被固定部に固定されるベース部材と、
該ベース部材に第１枢軸を介して回動可能に枢支され、該遊技盤の縁部を挟持する第１挟持部を有した第１挟持部材と、
該第１挟持部材に第２枢軸を介して回動可能に枢支され、該遊技盤の縁部を該第１挟持部との間で挟持する第２挟持部を有した第２挟持部材と、
該第１挟持部材に第３枢軸を介して回動可能に枢支され、開放時に開放操作されるアンクランプ部材と、
を備え、
該アンクランプ部材には、該第１挟持部材と第２挟持部材が該遊技盤の縁部を挟持しクランプしたとき、該ベース部材に設けたベース係止部に係止されるクランプ用係止部と、該第１挟持部材と第２挟持部材が該遊技盤の縁部を開放したとき、該ベース係止部に係止される開放用係止部とが設けられ、
該第２挟持部材は第１のばね部材により挟持方向に付勢され、該アンクランプ部材は第２のばね部材により該クランプ用係止部を該ベース係止部に係合させる方向に付勢され、該クランプ用係止部が該ベース係止部から外れるように該アンクランプ部材が回動操作されたとき、該第１挟持部材と第２挟持部材が該第２のばね部材によりアンクランプ側に付勢されて回動することを特徴とする遊技盤のクランプ装置。
【請求項２】
前記ベース部材は、金属板を略コ字状に曲折して形成され、前記第１挟持部材は、側面を略Ｌ字状とした形状に形成されてその略中央部を前記第１枢軸により回動可能に軸支され、該第１挟持部材の基部に第１挟持部が設けられ、反基部側の該第１挟持部材の端部内側に前記第２挟持部材が前記第２枢軸を介して枢支され、該基部の反第１挟持部側に前記アンクランプ部材が前記第３枢軸により枢支されることを特徴とする請求項１記載の遊技盤のクランプ装置。
【請求項３】
前記アンクランプ部材は、側面を略Ｌ字状とした形状に形成されてその略中央部を前記第３枢軸により回動可能に軸支され、該アンクランプ部材の基部の一端に操作把持部が設けられ、該アンクランプ部材の上側部に前記開放用係止部とクランプ用係止部が形成されたことを特徴とする請求項２記載の遊技盤のクランプ装置。
【請求項４】
前記アンクランプ部材を枢支する前記第３枢軸に前記第２のばね部材としてトーションばねが装着され、該トーションばねの一端を前記第１挟持部材に当接させ、該トーションばねの他端を該アンクランプ部材の一部に当接させ、該第１挟持部材を開放側に付勢すると共に、該アンクランプ部材の該開放用係止部または該クランプ用係止部を前記ベース係止部側に付勢するように構成したことを特徴とする請求項３記載の遊技盤のクランプ装置。
【請求項５】
前記第２挟持部材を枢支する前記第２枢軸に前記第１のばね部材としてトーションばねが装着され、該トーションばねの一端を該第２挟持部材に当接させ、該トーションばねの他端を前記第１挟持部材の一部に当接させ、該第２挟持部材をクランプ側に付勢するように構成したことを特徴とする請求項２記載の遊技盤のクランプ装置。
【発明の詳細な説明】
【技術分野】
【０００１】
本発明は、パチンコ機などの遊技機における遊技盤を、着脱可能に固定する遊技盤のクランプ装置に関する。
【背景技術】
【０００２】
パチンコ機などの遊技機における遊技盤は、保守点検の際、或いは修理や盤面のマイナーチェンジなどの際、取り外す必要があるため、遊技機の前面枠に対し着脱可能に固定されている。
【０００３】
この種の固定具として、従来では、遊技盤の縁部を囲うように設けられた遊技盤取付枠に、係止部を回動可能に設けた回動形固定具を、取り付けてなる遊技盤用固定具が、下記特許文献１などで提案されている。この種の遊技盤用固定具は、先ず遊技盤取付枠の内側に遊技盤を嵌め込み、次に、その係止部を約９０度回して、係止部により遊技盤の縁部を押し付けて固定するように使用される。
【特許文献１】特開平１１−１７９０１９号公報
【発明の開示】
【発明が解決しようとする課題】
【０００４】
しかし、従来のこの種の遊技盤用固定具は、遊技盤を固定する際、先ず、遊技盤を持ち上げながら、前面枠の内側の遊技盤取付枠内に挿入し、さらにその状態の遊技盤を一方の手で押えながら、固定具の係止部を他方の手で回すように操作して、係止部により遊技盤の縁部を押し付け、係止部を付勢するばね部材のばね力により、係止部を遊技盤の縁部に押し付けて固定し、このとき、係止部はばね力により遊技盤を押し付けながら回動するため、回動時の摩擦抵抗が大きく、作業者にとっては、遊技盤を一方の手で押えながら固定具の係止部を他方の手で回す必要があって、作業性が悪く、また、係止部の係止具合によっては固定が不完全になりやすいという課題があった。
【０００５】
一方、遊技盤の固定を解除して外す場合、遊技盤を一方の手で押さえながら、他方の手で回動形固定具の係止部を回して固定を解除し、この後、遊技盤の縁を持って遊技盤取付枠内から遊技盤を引き出すこととなるが、遊技盤には取手のような把持部がなく、作業者によっては盤面の装飾部分を取手の代用として持って遊技盤を引き出すため、装飾部分を汚したり傷つける虞があり、遊技盤を外す作業の作業性も悪いという課題があった。
【０００６】
本発明は、上述の課題を解決するものであり、遊技盤固定枠などの被固定部に対し遊技盤を作業性良くクランプし、且つ作業性良くアンクランプすることができる遊技盤のクランプ装置を提供することを目的とする。
【課題を解決するための手段】
【０００７】
本発明に係る請求項１の遊技盤のクランプ装置は、遊技機の遊技盤の縁部を被固定部に対し着脱可能に固定する遊技盤のクランプ装置であって、該被固定部に固定されるベース部材と、該ベース部材に第１枢軸を介して回動可能に枢支され、該遊技盤の縁部を挟持する第１挟持部を有した第１挟持部材と、該第１挟持部材に第２枢軸を介して回動可能に枢支され、該遊技盤の縁部を該第１挟持部との間で挟持する第２挟持部を有した第２挟持部材と、該第１挟持部材に第３枢軸を介して回動可能に枢支され、開放時に開放操作されるアンクランプ部材と、を備え、該アンクランプ部材には、該第１挟持部材と第２挟持部材が該遊技盤の縁部を挟持しクランプしたとき、該ベース部材に設けたベース係止部に係止されるクランプ用係止部と、該第１挟持部材と第２挟持部材が該遊技盤の縁部を開放したとき、該ベース係止部に係止される開放用係止部とが設けられ、該第２挟持部材は第１のばね部材により挟持方向に付勢され、該アンクランプ部材は第２のばね部材により該クランプ用係止部を該ベース係止部に係合させる方向に付勢され、該クランプ用係止部が該ベース係止部から外れるように該アンクランプ部材が回動操作されたとき、該第１挟持部材と第２挟持部材が該第２のばね部材によりアンクランプ側に付勢されて回動することを特徴とする。
【０００８】
この発明によれば、遊技盤の縁部を、開放状態にあるクランプ装置の第１挟持部材と第２挟持部材の間に挿入するように第２挟持部材を押して、第１挟持部材、第２挟持部材及びアンクランプ部材をクランプ方向に回動させるだけの簡単な操作により、遊技盤の縁部を第１挟持部材と第２挟持部材間で挟持させてクランプさせ、遊技盤を被固定部に強固に固定することができる。また、遊技盤を外す際には、アンクランプ部材を開放側に操作してベース係止部に対するクランプ用係止部の係合を外し、第１挟持部材、第２挟持部材及びアンクランプ部材を開放方向に回動させるだけの簡単な操作により、遊技盤の縁部を押し出すように開放させて、遊技盤を被固定部から離脱されることができる。
【０００９】
ここで、上記請求項１のクランプ装置において、上記ベース部材は、金属板を略コ字状に曲折して形成され、上記第１挟持部材は、側面を略Ｌ字状とした形状に形成されてその略中央部を第１枢軸により回動可能に軸支され、該第１挟持部材の基部に第１挟持部が設けられ、反基部側の該第１挟持部材の端部内側に第２挟持部材が第２枢軸を介して枢支され、該基部の反第１挟持部側に上記アンクランプ部材を第３枢軸により枢支する構成とすることができる。
【００１０】
この発明によれば、クランプ装置の構造を簡単化して、小型化することができる。また、クランプ開放時に遊技盤の縁部を押し出す際の押出し幅は、第２挟持部材の第２枢軸から第２挟持部の先端までの長さを変えることにより、任意に設定することができる。
【００１１】
また、上記請求項１のクランプ装置において、上記アンクランプ部材は、側面を略Ｌ字状とした形状に形成されてその略中央部を第３枢軸により回動可能に軸支され、該アンクランプ部材の基部の一端に操作把持部が設けられ、該アンクランプ部材の上側部に上記開放用係止部とクランプ用係止部を形成して構成することができる。
【００１２】
この発明によれば、クランプ装置の構造を簡単化して、小型化することができる。
【００１３】
また、上記クランプ装置において、上記アンクランプ部材を枢支する第３枢軸に上記第２のばね部材としてトーションばねを装着し、トーションばねの一端を第１挟持部材に当接させ、トーションばねの他端をアンクランプ部材の一部に当接させ、第１挟持部材を開放側に付勢すると共に、該アンクランプ部材の開放用係止部またはクランプ用係止部をベース係止部側に付勢するように構成することができる。
【００１４】
この発明によれば、狭いスペースに装着したばね部材により、良好に第１挟持部材を開放側に付勢することができる。
【００１５】
また、上記クランプ装置において、上記第２挟持部材を枢支する第２枢軸に上記第１のばね部材としてトーションばねが装着され、トーションばねの一端を第２挟持部材に当接させ、トーションばねの他端を第１挟持部材の一部に当接させ、第２挟持部材をクランプ側に付勢するように構成することができる。
【００１６】
この発明によれば、狭いスペースに装着したばね部材により、良好に第２挟持部材をクランプ側に付勢することができる。
【発明の効果】
【００１７】
本発明の遊技盤のクランプ装置によれば、遊技盤の縁部を第１挟持部材と第２挟持部材間に挿入して第２挟持部材を押しながら、第１挟持部材、第２挟持部材及びアンクランプ部材をクランプ方向に回動させるだけの簡単な操作により、作業性良く遊技盤をクランプして被固定部に固定することができ、遊技盤を外す際には、アンクランプ部材を開放側に回動操作して、第１挟持部材、第２挟持部材及びアンクランプ部材を開放方向に回動させるだけの簡単な操作により、作業性良く遊技盤をアンクランプ（開放）して被固定部から離脱されることができる。
【発明を実施するための最良の形態】
【００１８】
以下、本発明の一実施形態を図面に基づいて説明する。図１は遊技盤用のクランプ装置の斜視図を示し、図２は同クランプ装置の左側面図を、図３はその背面図を、図４はその平面図を示している。
【００１９】
このクランプ装置１は、基本的には、遊技盤固定枠（被固定部）２１に固定されるベース部材２と、ベース部材２に第１枢軸１１を介して回動可能に枢支され、遊技盤２０の縁部を挟持する第１挟持部４ａを有した第１挟持部材４と、第１挟持部材４に第２枢軸１３を介して回動可能に枢支され、遊技盤２０の縁部を第１挟持部４ａとの間で挟持する第２挟持部５ａを有した第２挟持部材５と、第１挟持部材４に第３枢軸１２を介して回動可能に枢支され、開放時に開放操作されるアンクランプ（開放）部材６と、を備えて構成される。
【００２０】
アンクランプ部材６には、第１挟持部材４と第２挟持部材５が遊技盤の縁部を挟持しクランプしたとき、ベース部材２に設けたベース係止部１４に係止されるクランプ用係止部６ｂと、第１挟持部材４と第２挟持部材５が遊技盤の縁部を開放したとき、ベース係止部１４に係止される開放用係止部６ａとが設けられる。第２挟持部材５は、ばね部材１５により挟持方向に付勢され、アンクランプ部材６は、ばね部材１６によりクランプ用係止部６ｂをベース係止部１４に係合させる方向に付勢され、クランプ用係止部６ｂがベース係止部１４から外れるようにアンクランプ部材６が回動操作されたとき、第１挟持部材４と第２挟持部材５がばね部材１６によりアンクランプ（開放）側に付勢されて回動するようになっている。
【００２１】
図５、図６に示すように、ベース部材２は、金属板を略コ字状に曲折して形成され、固定孔を設けた固定片２ａが背面両側に突設され、被固定部の遊技盤固定枠２１に固定される構造である。ベース部材２の上部内側に、ベース係止部（軸ピン）１４が両側の側壁に、水平横方向に掛け渡すように取り付けられ、ベース部材２の内側には、上記アンクランプ部材６、第１挟持部材４、及び第２挟持部材５の組付け体が、第１枢軸１１を介して回動可能に組み付けられる。第１枢軸１１は、ベース部材２の下部におけるベース係止部（軸ピン）１４の下方付近の両側壁に、水平横方向に掛け渡すように取り付けられる。ベース部材２の背面側には両側壁に連続する背面壁が形成されている。
【００２２】
第１挟持部材４は、側面を略Ｌ字状とした形状に形成され、その略中央部が上記第１枢軸１１により回動可能に軸支される。第１挟持部材４の基部（下部側）に、遊技盤を挟持するための第１挟持部４ａが設けられ、反基部（上部）側の第１挟持部材４の上端部内側に第２挟持部材５が第２枢軸１３により枢支される。
第２挟持部材５は、両側壁の間に第２挟持部５ａを設けて形成され、第１挟持部材４の上部内側に挿入され、第１挟持部材４の上部と第２挟持部材５の両側壁間に、水平横方向に装着された第２枢軸１３により、第２挟持部材５は上下に回動可能に枢支される。
【００２３】
このような装着状態で、第１挟持部材４の第１挟持部４ａと第２挟持部材５の第２挟持部５ａは、向かい合うように対向して位置し、その間に遊技盤２０の縁部を受け入れ挟持可能な構造となっている。
【００２４】
さらに、上記第２枢軸１３には、ばね部材（トーションばね）１５が外嵌されて装着され、そのばね部材１５の一端は第２挟持部材５の第２挟持部５ａの内側に当接し、ばね部材１５の他端は第１挟持部材４の上壁の一部に当接し、このばね部材１５により第２挟持部材５は挟持方向つまり第２挟持部５ａを第１挟持部４ａに近づける方向に付勢される。
【００２５】
さらに、図５、図６に示すように、上記第１挟持部材４の基部（下部）における反第１挟持部側つまり上部側に、アンクランプ部材６が第３枢軸１２により回動可能に枢支される。アンクランプ部材６は、金属板を略コ字状に曲折して形成されると共に、側面を略Ｌ字状とした形状に形成され、その基部（下部）の一端には操作把持部６ｃが設けられ、アンクランプ（開放）時に、指などでこの操作把持部６ｃを手前に引いて、アンクランプ操作を行なうようになっている。また、アンクランプ部材６の図５における立ち上がり部の右側、図２におけるアンクランプ部材６の上部側に、凹部として開放用係止部６ａとクランプ用係止部６ｂが形成され、上記ベース部材２に取り付けたベース係止部１４に、開放操作時に開放用係止部６ａが係止され、クランプ操作時にクランプ用係止部６ｂが係止されるようになっている。
【００２６】
さらに、アンクランプ部材６の略中央部の両側壁間に、上記第３枢軸１２が水平横方向に挿通されて装着される。このようなアンクランプ部材６は、上記第１挟持部材４の基部（下部）の内側に挿入され、第３枢軸１２の両端を介して、第１挟持部材４の基部に対し回動可能に枢支される。この第３枢軸１２にはばね部材（トーションばね）１６が外嵌され、ばね部材１６の一端が第１挟持部材４の上壁に当接し、その他端がアンクランプ部材６の下部内側の端部に当接する。
【００２７】
したがって、このばね部材１６によりアンクランプ部材６は図２の時計方向に付勢されるが、アンクランプ部材６のクランプ用係止部６ｂ（または開放用係止部６ａ）がばね部材１６のばね力によってベース係止部１４に押し付けられるから、第２挟持部材５とアンクランプ部材６を第２枢軸１３と第３枢軸１２を介して組み付けた第１挟持部材４の組付体は、このベース係止部１４からの反力を受けて、クランプ用係止部６ｂまたは開放用係止部６ａの係止位置で静止し安定する。
【００２８】
また、アンクランプ部材６のクランプ用係止部６ｂと開放用係止部６ａの間には、傾斜部６ｄが形成されるが、この傾斜部６ｄが図７〜図８のようにベース係止部１４に当接するとき、アンクランプ部材６の傾斜部６ｄがベース係止部１４から反力を受け、第２挟持部材５とアンクランプ部材６を第２枢軸１３と第３枢軸１２を介して組み付けた第１挟持部材４の組付体を、第１枢軸１１を軸に図８の反時計方向、つまりクランプの開放側に回動させる回動力を生じさせる。アンクランプ部材６の開放操作時、この回動力によって、第１挟持部材４と第２挟持部材５を開放する側に回動させ、遊技盤を自動的に押し出す構造となっている。
【００２９】
また、図７のようなクランプの開放状態において、遊技盤２０の縁部を第２挟持部材５の第２挟持部５ａに押し当てると、第１枢軸１１を軸に第１挟持部材４の組付体を時計方向（クランプ方向）に回動させる回動力が生じ、第１挟持部材４と第２挟持部材５の組付体は遊技盤２０の縁部を挟持してクランプする構造となっている。
【００３０】
次に、上記構成の遊技盤用のクランプ装置１の動作を説明する。クランプ装置１は、図１１に示すように、パチンコ遊技機の前面枠内に取り付けられた遊技盤固定枠２１の所定箇所に、そのベース部材２の固定片２ａと固定ねじを用いて固定される。遊技盤２０の右側縁部の上部と下部には、図１１のように、方形切欠部が形成され、この方形切欠部に対応した遊技盤固定枠２１の上部位置と下部位置に、１対のクランプ装置１が上部では下向きに（第１挟持部４ａと第２挟持部５ａを下に向けて）、下部では上向きに（第１挟持部４ａと第２挟持部５ａを上に向けて）固定される。各クランプ装置１の第１挟持部４ａと第２挟持部５ａの挟持部分は、遊技盤固定枠２１から遊技盤側に突き出してクランプ可能に取り付けられる。
【００３１】
遊技盤２０の左側端部は、側端保持部２２によって、ある程度の範囲で回動可能に保持される。側端保持部２２は、例えば板ばねを曲折して形成され、遊技盤２０の左側端部を側端保持部２２の凹部内に、ばね弾性を生じさせながら嵌め込み可能な形成されている。
【００３２】
遊技盤２０は、遊技盤固定枠２１に取り付ける際、まず、その左側端部を側端保持部２２の凹部内に、ばね弾性を生じさせながら嵌め込み、遊技盤２０の右側縁部をある程度の範囲で回動可能に保持させる。
【００３３】
その状態で、遊技盤２０の右側端部を、開放状態にあるクランプ装置１の第１挟持部４ａと第２挟持部５ａ内に軽く押し込むようにする。
【００３４】
このとき、図７に示す如く、遊技盤２０の背面または前面の右側端部が、先ず第２挟持部材５の第２挟持部５ａに当たり、第２挟持部材５が背面側に押されると、第２挟持部材５は第２枢軸１３を中心に図７の時計方向に回動し、さらに、第２挟持部材５が遊技盤２０からの押圧力を受けると、図８のように、第１挟持部材４、第２挟持部材５、及びアンクランプ部材６の組付体が第１枢軸１１を中心に時計方向に回動する。そして、図８に示すように、遊技盤２０の縁部の背面が第２挟持部材５の第２挟持部５ａに完全に当接し、第１挟持部材４の回動に伴い、その第１挟持部４ａが遊技盤２０の縁部の前面に完全に当接する状態となる。
【００３５】
このとき、アンクランプ部材６は、図８に示すように、第１枢軸１１を中心とする時計方向への回動に伴い、ベース係止部１４と当接する位置が、開放用係止部６ａから傾斜部６ｄに移動し、これに伴い、アンクランプ部材６はその第３枢軸１２を中心に、僅かに反時計方向に回動する。そして、ベース係止部１４との当接位置が、傾斜部６ｄの上端部の山を越えたとき、図８の下段に示すように、アンクランプ部材６は第３枢軸１２を中心に時計方向に回動し、ベース係止部１４がクランプ用係止部６ｂに嵌入する。
【００３６】
これにより、第１挟持部材４がアンクランプ部材６を介してばね部材１６のばね力を受け、第１挟持部材４の第１挟持部４ａが遊技盤２０の縁部の前面または背面に当接し、第１挟持部材４と第２挟持部材５が遊技盤２０を挟持する側に付勢されると共に、第２挟持部材５がばね部材１５により挟持方向に付勢され、遊技盤２０の縁部の背面と前面が図８の最下段に示すように、第１挟持部材４と第２挟持部材５間に挟持され、強固にクランプされた状態となる。
【００３７】
このように、遊技盤２０の縁部を、開放状態にあるクランプ装置１の第１挟持部材４と第２挟持部材５の間に挿入し、第２挟持部材を押し込むように回動させるだけの簡単な操作により、遊技盤２０の縁部をクランプさせて、遊技盤２０を被固定部である遊技盤固定枠２１に対し固定することができる。図１１に示す遊技盤固定枠２１の場合、クランプ装置１はその右側端部の上部と下部に固定されており、遊技盤２０の右側端部を上下のクランプ装置１に対し押し込むだけの極めて簡単なワンアクション操作のみで、遊技盤２０の右側端部の上部と下部をクランプすることができる。
【００３８】
また、このような遊技盤２０のクランプ操作時に、遊技盤２０の縁部が誤ってクランプ装置１のアンクランプ部材６の先端に当った場合、図７に示すように、アンクランプ部材６はその開放用係止部６ａがベース係止部１４に当接してロックされており、図７の時計方向に回動することはない。したがって、遊技盤２０の縁部がアンクランプ部材６の先端に誤って当った場合でも、クランプ装置１が誤動作することはない。
【００３９】
さらに、遊技盤２０の縁部を、開放状態にあるクランプ装置１の第１挟持部材４と第２挟持部材５の間に挿入し、第２挟持部材を押し込むように回動させたとき、何らかの理由により遊技盤２０のクランプ動作を戻したい場合、図７から図８の上２段に示す状態であれば、つまり、傾斜部６ｄがベース係止部１４に接触する範囲であれば、クランプ動作は簡単に開放状態に戻すことができ、クランプ操作が非常に容易である。
【００４０】
一方、クランプ装置１を開放する場合、図９のように、アンクランプ部材６の正面側端部の操作把持部６ｃを手前に引く。このとき、アンクランプ部材６は、第３枢軸１２を中心に図９の反時計方向に僅かに回動し、アンクランプ部材６のクランプ用係止部６ｂがベース係止部１４から離れ、ベース係止部１４の当接部分が傾斜部６ｄの上部の山を越える。
【００４１】
このとき、使用者は操作把持部６ｃを持って図９の反時計方向に回動させているので、ベース係止部１４の当接部分が傾斜部６ｄの上部の山を越えて傾斜部６ｄを摺動するとき、第１挟持部材４、第２挟持部材５、及びアンクランプ部材６の組付体は、第１枢軸１１を中心に図９、図１０の反時計方向に回動し、最終的に第１挟持部材４と第２挟持部材５は、図１０の最下段のように、広く開放された状態となり、遊技盤２０はクランプから開放される。また、このとき、第１挟持部材４、第２挟持部材５、及びアンクランプ部材６の組付体は、ばね部材１６のばね力により自動的に開放側に回動するため、それにより、遊技盤２０の縁部は自動的に前方に押し出され、開放される。
【００４２】
このように、遊技盤２０を外す際には、クランプ装置１のアンクランプ部材６を開放側に操作して、ベース係止部１４に対するクランプ用係止部６ｂの係合を外すと、第１挟持部材４、第２挟持部材５及びアンクランプ部材６がばね部材１６のばね力により、開放側に自動的に回動し、遊技盤２０の縁部を押し出すように自動的に開放するから、アンクランプ部材６を手前に引くだけの簡単な操作により、遊技盤２０を遊技盤固定枠２１から離脱させることができる。
【００４３】
また、クランプ装置１のアンクランプ部材６を開放側に操作して、ベース係止部１４に対するクランプ用係止部６ｂの係合を外す際、図９の上２段に示すように、アンクランプ部材６の操作把持部６ｃの回動範囲がある程度の範囲内であれば、つまりクランプ用係止部６ｂの近傍がベース係止部１４に接触し、傾斜部６ｄ側の山を越えるまでの範囲内であれば、アンクランプ部材６はばね部材１６の付勢力によりクランプ状態に戻るため、誤ってクランプを開放してしまう不具合を防止することができる。
【００４４】
なお、上記実施形態では、図１１のように、遊技盤固定枠２１の上部にクランプ装置１を下向きに固定し、その下部に別のクランプ装置１を上向きに固定して使用したが、図１２のように、遊技盤固定枠２１の上部と下部にクランプ装置１を横向きに（遊技盤２０の縁部に向けて水平に）固定して使用することもできる。また、クランプ装置１を固定する遊技盤固定枠２１の位置としては、上記のように、右側端部の他、枠の上辺部としてクランプ装置１を下向きに固定し、或いは枠の下辺部としてクランプ装置１を上向きに固定して使用することもできる。
【図面の簡単な説明】
【００４５】
【図１】本発明の一実施形態を示すクランプ装置の左側面側からの斜視図である。
【図２】同クランプ装置の左側面図である。
【図３】同クランプ装置の背面図である。
【図４】同クランプ装置の平面図である。
【図５】同クランプ装置の分解左側面図である。
【図６】同クランプ装置の分解平面図である。
【図７】クランプ動作を示す左側面の動作説明図である。
【図８】クランプ動作を示す左側面の動作説明図である。
【図９】アンクランプ（開放）動作を示す左側面の動作説明図である。
【図１０】アンクランプ（開放）動作を示す左側面の動作説明図である。
【図１１】クランプ装置の使用状態を示す正面図である。
【図１２】他の使用状態を示す正面図である。
【符号の説明】
【００４６】
１      クランプ装置
２      ベース部材
４      第１挟持部材
４ａ    第１挟持部
５      第２挟持部材
５ａ    第２挟持部
６      アンクランプ部材
６ａ    開放用係止部
６ｂ    クランプ用係止部
６ｃ    操作把持部
１１    第１枢軸
１２    第３枢軸
１３    第２枢軸
１４    ベース係止部
１５    ばね部材
１６    ばね部材
【図１】
0005224922.tif 000002
【図２】
0005224922.tif 000003
【図３】
0005224922.tif 000004
【図４】
0005224922.tif 000005
【図５】
0005224922.tif 000006
【図６】
0005224922.tif 000007
【図７】
0005224922.tif 000008
【図８】
0005224922.tif 000009
【図９】
0005224922.tif 000010
【図１０】
0005224922.tif 000011
【図１１】
0005224922.tif 000012
【図１２】
0005224922.tif 000013